(57)【要約】【課題】全体画像のうちの一部の部分画像同士を簡便に比較する。【解決手段】フイルムストリップエリア６７から比較対象の画像Ａ，Ｂを選択する。選択された画像Ａ，Ｂは、画像比較エリア５４に重ねて表示される。切り出しボタン６１を選択して、上位画像Ｂに対して特定範囲７０を指定する。表示制御手段は、上位画像Ｂに対して特定範囲７０外を透過処理して透過範囲を作成し、透過範囲を通して下位画像Ａの一部を上位画像Ｂに混合して表示する。マウス操作で特定範囲７０の移動を指示すると、表示制御手段は、特定範囲７０に表示されている画像Ｂが特定範囲と一緒に移動するように表示する。【選択図】図５
2012063834.tif 000002
【特許請求の範囲】
【請求項１】
複数の画像を単一の画像比較エリアに重ねて表示する画像表示装置において、
上位画像に対して特定範囲を指定する範囲指定手段と、前記上位画像に対して前記特定範囲又は特定範囲外を透過処理して透過範囲を作成する透過処理手段と、前記透過範囲を通して下位画像の一部を前記上位画像に混合して表示する表示制御手段と、を備えたことを特徴とする画像表示装置。
【請求項２】
請求項１に記載の画像表示装置において、
前記下位画像を最前面に表示する入替え指示手段を備え、
前記範囲指定手段は、最前面に表示される画像に対して前記特定範囲を指定することを特徴とする画像表示装置。
【請求項３】
請求項１又は２に記載の画像表示装置において、
前記画像比較エリア内で前記特定範囲の移動を指示する移動指示手段を設け、前記表示制御手段は、特定範囲に表示されている画像が特定範囲と一緒に移動するように表示することを特徴とする画像表示装置。
【請求項４】
請求項１ないし３いずれか1項記載の画像表示装置において、
上位画像及び下位画像の連動を指示する連動指示手段と、前記上位又は下位画像のうちのいずれか一方の画像に対して拡大又は縮小を指示する拡大／縮小指示手段とを設け、表示制御手段は、連動指示を受けているときに画像の拡大又は縮小の指示を受けたときには、上位画像又は下位画像のいずれか一方の画像の拡大又は縮小に連動して他方の画像を同じ倍率に拡大又は縮小するように表示することを特徴とする画像表示装置。
【請求項５】
請求項１ないし４いずれか1項記載の画像表示装置において、
前記画像比較エリアに隣接して画像対象エリアを表示する手段と、前記複数の画像を縮小化したサムネイル画像を前記画像対象エリアに並べて表示する手段と、前記特定範囲に対応するマークを前記サムネイル画像に、画像全体に対する大きさを同じにして表示する手段と、を備えることを特徴とする画像表示装置。
【請求項６】
複数の画像を単一の画像比較エリアに重ねて表示する画像表示方法において、
上位画像に対して特定範囲を指定するステップと、前記上位画像に対して前記特定範囲又は特定範囲外を透過処理して透過範囲を作成するステップと、前記透過範囲を通して下位画像の一部を前記上位画像に混合して表示する表示制御ステップと、を含むことを特徴とする画像表示方法。
【請求項７】
請求項６に記載の画像表示方法において、
前記画像比較エリア内で前記特定範囲の移動を指示するステップを含み、前記表示制御ステップは、特定範囲に表示されている画像が特定範囲と一緒に移動するように表示することを特徴とする画像表示方法。
【請求項８】
請求項６又は７に記載の画像表示方法において、
上位画像及び下位画像の連動を指示するステップと、前記上位又は下位画像のうちのいずれか一方の画像に対して拡大又は縮小を指示するステップとを含み、前記表示制御ステップは、連動指示を受けているときに画像の拡大又は縮小の指示を受けたときには、上位画像又は下位画像のいずれか一方の画像の拡大又は縮小に連動して他方の画像を同じ倍率に拡大又は縮小するように表示することを特徴とする画像表示方法。
【請求項９】
請求項６ないし８いずれか１項記載の画像表示方法をコンピュータに実現させるためのプログラムを記録したコンピュータ読み取り可能な記録媒体。
【発明の詳細な説明】
【技術分野】
【０００１】
本発明は、比較観察をするために複数の画像を同一画面上に表示する画像表示装置、及び方法、並びにプログラムを記録したコンピュータ読み取り可能な記録媒体に関するものである。
【背景技術】
【０００２】
従来、複数の表示画像のそれぞれに基準点を指定して表示画像同士を関連付けして同期表示を行うことで精細な比較観察を可能にした画像表示方法が提案されている（特許文献１）。
【先行技術文献】
【特許文献】
【０００３】
【特許文献１】特開２０００−２９８４６７号公報
【発明の概要】
【発明が解決しようとする課題】
【０００４】
前述した画像表示方法では、比較画像を左右に個別に並べた２つの固定ウィンドウにそれぞれ表示している。このため、互いの画像を固定ウィンドウの間隔未満に近づけることができないため、部分画像同士の比較が判断し難い。特に画像全体の中の一部の部分画像同士を比較したい場合には、離れすぎているため、細かな比較が行えないおそれがあった。
【０００５】
本発明は、上記課題を解決するために、全体画像のうちの一部の部分画像同士を簡便に比較することができる画像表示装置、及び方法、並びにプログラムを記録したコンピュータ読み取り可能な記録媒体を提供することを目的とする。
【課題を解決するための手段】
【０００６】
本発明では、上位画像に対して特定範囲を指定する範囲指定手段と、上位画像に対して特定範囲又は特定範囲外を透過処理して透過範囲を作成する透過処理手段と、透過範囲を通して下位画像の一部を前記上位画像に混合して表示する表示制御手段と、を備えたものである。
【０００７】
範囲指定手段は、上位画像に対して指定するものである。しかし、下位画像に対して指定したい場合がある。そこで、前記下位画像を最前面に表示することを指示する入替え指示手段を設け、表示制御手段は、入替え指示手段の入替え指示に応答して任意の画像を最前面に表示するように構成するのが好適である。
【０００８】
指定した特定範囲を移動したい場合がある。この場合には、特定範囲を移動させる移動指示手段を設け、表示制御手段は、移動指示に応答して、特定範囲を画像比較エリア内で移動させるように表示すればよい。この場合、表示制御手段は、特定範囲に表示されている画像も特定範囲と一緒に移動させて表示するように構成すれば、部分画像同士を比較し易い位置に表示することができるので好適である。
【０００９】
ところで、顔画像等の特徴領域同士を比較する場合、画像を拡大又は縮小する作業が手間のかかる作業になる。というのは、画像の拡大又は縮小は画像ウィンドウ毎にアクティブにして行う必要があるため、両者を同じ倍率に合わせるのが難しい。
【００１０】
そこで、上位画像及び下位画像の連動を指示する連動指示手段と、画像の拡大又は縮小を指示する拡大／縮小指示手段とを設け、表示制御手段は、連動指示を受けているときに拡大／縮小指示を受けたときには、上位画像又は下位画像のいずれか一方の画像の拡大又は縮小に連動して他方の画像を同じ倍率に拡大又は縮小するように表示すればよい。
【００１１】
また、画像比較エリアでは、特定範囲の画像全体に対する位置、大きさが把握できない場合がある。そこで、画像比較エリアに隣接して対象画像エリアを表示する手段と、画像比較エリアに表示される複数の画像を縮小した縮小画像を画像対象エリアに並べて表示する手段と、特定範囲に対応するマークを縮小画像に、画像全体に対する大きさを同じにして表示する手段と、を備えるのが好適である。
【発明の効果】
【００１２】
本発明では、上位画像に対して指定した特定範囲又は特定範囲外を透過処理して透過範囲を作成し、作成した透過範囲を通して下位画像の一部を上位画像に混合して表示するため、全体画像の中の比較対象となる部分画像同士を接近して表示することができ、よって、画像の比較を簡便にかつ確実に行える。
【図面の簡単な説明】
【００１３】
【図１】本発明の画像表示装置の電気的概略を示すブロック図である。
【図２】プログラムを起動することで生成されるアプリケーションソフト部の概略を示すブロック図である。
【図３】ＧＵＩ画面（ウィンドウ）を示す説明図である。
【図４】選択した画像を画像比較エリアに表示した状態を示す説明図である。
【図５】切り出しボタンを選択して特定範囲を指定したときの表示形態を示す説明図である。
【図６】切り抜きボタンを選択して特定範囲を指定したときの表示形態を示す説明図である。
【図７】画像比較作業の手順を示すフローチャートである。
【図８】切り出しボタンを選択して特定範囲を指定する時の描画部のマスク処理を示す説明図であり、（Ａ）は上位画像Ｂに対してマスク処理を施す範囲を、（Ｂ）は下位画像Ａに対してマスク処理を施す範囲をそれぞれ説明している。
【図９】図８で説明した特定範囲に対して移動を実行した時の描画部のマスク処理を示す説明図であり、（Ａ）は上位画像Ｂと特定範囲の移動後の位置を、（Ｂ）は下位画像Ａに対する特定範囲の移動位置を、（Ｃ）は、下位画像Ａの特定範囲に対してマスク処理を施す範囲を、（Ｄ）は下位画像Ａのマスク処理の範囲に、上位画像Ｂの特定範囲の画像を混合した状態をそれぞれ示している。
【図１０】図９で説明した移動処理後のＧＵＩ画面を示す説明図である。
【図１１】切り抜きボタンを選択して特定範囲を指定する時の描画部のマスク処理を示す説明図であり、（Ａ）は上位画像Ｂに対してマスク処理を施す範囲を、（Ｂ）は下位画像Ａに対してマスク処理を施す範囲をそれぞれ説明している。
【図１２】図１１で説明した特定範囲に対して移動を実行した時の描画部のマスク処理を示す説明図であり、（Ａ）は下位画像Ａと特定範囲の移動後の位置を、（Ｂ）は上位画像Ｂに対する特定範囲の移動位置を、（Ｃ）は、下位画像Ａに対してマスク処理を施す範囲を、（Ｄ）は上位画像Ｂのマスク処理の範囲に、下位画像Ａの特定範囲の画像を混合した状態をそれぞれ示している。
【図１３】図１２で説明した移動処理後のＧＵＩ画面を示す説明図である。
【発明を実施するための形態】
【００１４】
本発明の一実施形態である画像表示装置を説明する。画像表示装置１０は、図１に示すように、ＣＰＵ１１、メモリ１２、フレームメモリ１３、表示制御部１４、表示部１５、入力部１６、Ｉ／Ｆ（インターフェース）１７，１８、及びハードディスク１９等で構成され、これらはバス２０により接続されている。
【００１５】
ＣＰＵ１１は、各部を統括的に制御する。メモリ１２は、ＣＰＵ１１により利用され得る作業用メモリ空間を提供する。表示制御部１４は、画素を定めるＬＵＴ（ルックアップテーブル）を有しており、フレームメモリ１３に格納されている表示データを、ＬＵＴを参照しながらモニタ用の表示信号に変換して表示部１５に送る。
【００１６】
表示部１５は、ＣＲＴモニタ、又は液晶ディスプレイ等になっており、表示制御部１４から得られる表示信号に基づいて画像を表示する。ハードディスク１９は、本発明の画像表示装置を実現可能にするためのプログラムをインストールする記録媒体、また画像データを保存しておく記録媒体、さらにはその他の各種情報を記録する記録媒体であり、Ｉ／Ｆ１７を介してバス２０に接続されている。フレームメモリ１３は、表示部１５に表示する表示データを格納する。
【００１７】
入力部１６は、各種指示を入力するためのキーボードやマウス等で構成される。Ｉ／Ｆ１８は、接続端子２１に接続される接続ケーブル２２を介して、外部機器、例えば電子カメラ２３等に格納されている画像データをハードディスク１９に取り込むためのインターフェースである。
【００１８】
ＣＰＵ１１は、ハードディスク１９にインストールされているプログラム（アプリケーションソフト）を実行することで、図２に示すように、ＧＵＩ（グラフィカル・ユーザーインターフェース）対応のアプリケーションソフト部２５を生成する。  アプリケーションソフト部２５は、大別して、ウィンドウ描画情報管理部２６、各種処理内容を指示するための入力部２７、及び入力部２７から指示に従って生成するウィンドウ内容をフレームメモリ１３に格納する描画部２８とで構成される。
【００１９】
入力部２７は、画像読出し指示部３０、解除指示部３１、全解除指示部３２、取り消し指示部３３、切り抜き指示部３４、切り出し指示部３５、入替え指示部３６、移動指示部３７、連動指示部３８、拡大・縮小指示部３９、及び選択部４０等で構成され、これら指示部３０〜３９及び選択部４０はＧＵＩを構成する各種ボタン（画面上にグラフィック表示されるボタン）に関連付けされている。
【００２０】
ウィンドウ描画情報管理部２６は、アプリケーションソフトのウィンドウや画像やサムネイル画像等を表示するための画像ウィンドウの描画情報、及びボタンの描画情報等が格納されている。描画部２８は、入力部２７から入力されるイベントに対応して、画像ウィンドウに表示する画像を処理するための画像処理部４２、透過処理部４３、及びウィンドウ描画処理部４１等を備えている。
【００２１】
ウィンドウ描画処理部４１は、ウィンドウ描画情報管理部２６に格納されている情報に基づいてウィンドウ内容を生成する。
【００２２】
画像処理部４２では、画像の移動や拡大又は縮小、あるいは合成等の処理を行って、処理済みの画像をウィンドウ内容に組み込んで最終的な表示用ウィンドウ内容を生成し、表示用ウィンドウ内容をフレームメモリ１３に格納する。
【００２３】
透過処理部４３は、画像に対して指定される特定範囲又は特定範囲外を、マスクパターン格納部４４に格納した特定のマスクパターンに従ってマスク処理して透過範囲を作成し、この透過範囲の情報を画像処理部４２に送る。画像処理部４２は、下位画像のうちの透過範囲に覆い隠されている一部を上位画像の透過範囲に合成する処理を行う。
【００２４】
ウィンドウ内容は、図３に示すように、タイトルバー５０、メニューバー５１、及びツールバー５２等をもつウィンドウ５３とそのウィンドウ５３内を仕切った複数のフレーム５４〜５６とを表示するとともに、各イベントを実行するためのボタン（アイコン）５７〜６６をツールバー５２に表示する内容になっている。
【００２５】
なお、図３では、図面の複雑化を省くために、タイトルバー５０に表示するアプリケーションソフト名、及びメニューバー５１に表示するメニュー名等を省略している。また、図４以降の操作画面の図では、図面の複雑化を省くために、タイトルバー５０、及びメニューバー５１の記載を省略している。
【００２６】
複数のフレーム５４〜５６は、画像比較エリア５４、対象画像エリア５５、及びフイルムストリップエリア５６等で構成されている。フイルムストリップエリア５６は、ハードディスク１９等の記録手段のうちの予め指定したアドレスに格納されている画像ファイルをサムネイル画像６７ａ〜６７ｚとして複数並べて表示するエリアである。なお、画像ファイルには、サムネイル画像、及び本画像のデータがそれぞれ格納されている。なお、画像ファイルにサムネイル画像が格納されていない場合には、本画像を読み出してサムネイル画像を作成して表示する。
【００２７】
画像比較エリア５４は、図４に示すように、フイルムストリップエリア５６の中で選択されるサムネイル画像６７ｃ、６７ｄに対応する画像データの本画像Ａ，Ｂを画像ウィンドウ４５，４６にそれぞれ表示するためのエリアである。画像比較エリア５４には、画像同士の比較が簡便に行えるように、先に選択した画像Ａが下位画像として、後選択のものを上位画像Ｂとして２つの画像Ａ，Ｂが一部を重ねた状態でずれて表示される。なお、画像ウィンドウ４５，４６を上位と下位とで色分けして表示すると、把握し易いので好適である。画像比較エリア５４では、図５に示すように、画像の切り出し又は切り抜き範囲の指定（クリッピング）、すなわち特定範囲７０の指定が行われる。
【００２８】
対象画像エリア５５は、選択した２つの画像Ａ，Ｂを縮小した縮小画像を画像ウィンドウ４７，４８にそれぞれ表示するエリアである。この対象画像エリア５５には、特定範囲７０を画像比較エリア５４で指定することに応答して、その特定範囲７０に対応するマーク７０ａが画像比較エリア５４での画像全体に対する位置、及び大きさを同じにして表示される。
【００２９】
比較対象の画像の選択は、サムネイル画像６７をフイルムストリップエリア５６から画像比較エリア５４にマウスでドラッグ・アンド・ドロップ操作をすることで行える。この画面操作は、画像読出し指示部３０を構成しており、画像読出し指示部３０は、選択したサムネイル画像６７に対応する本画像を読み出して画像比較エリア５４に表示する指示を描画部２８に対して行う。
【００３０】
切り出し（トリミング）ボタン６１は、特定範囲７０を指定することに応答して、上位画像Ｂに対して特定範囲７０外を透過して、透過した範囲を通して下位画像Ａの一部を表示するための操作ボタンであり、図２で説明した切り出し指示部３５を構成している。
【００３１】
切り抜き（ドリル）ボタン６２は、図６に示すように、特定範囲７０を指定することに応答して、上位画像Ｂに対して特定範囲７０内を透過して、透過した範囲を通して下位画像Ａの一部を表示するための操作ボタンであり、図２で説明した切り抜き指示部３４を構成する。
【００３２】
特定範囲７０の指定は、画像比較エリア５４内で例えば、マウスのドラッグ操作等で開始点と終了点を指定して任意の範囲を囲むことで行える。囲んだ範囲は矩形枠で表示される。特定範囲７０は、矩形枠の角部を対角線方向にマウスのドラッグ操作をすることで大きさを、また矩形枠を構成する上下左右辺のいずれかをマウスでドラッグ操作することで位置を変えることができる。なお、特定範囲７０の指定するための囲み枠としては、矩形に限らず、円形や楕円形、三角形等にしてもよい。この場合、マーク７０ａは特定範囲７０に合わせるのが望ましい。
【００３３】
入替えボタン６０は、下位画像Ａを最前面に表示するように指示するボタンであり、図２で説明した入替え指示部３６を構成している。選択ボタン５９は、２つの画像Ａ，Ｂのうちのいずれか一方をマウスのクリック操作により選択することで、選択した画像をアクティブの画像にする。アクティブな画像は、画像比較エリア５４内で常に最前面に表示される。
【００３４】
スライドボタン６４は、マウス操作でノブ６４ａをスライドバー６４ｂに沿って移動させることで、その移動量及び移動方向に応じて、アクティブな画像に対して画像の拡大又は縮小を指示するボタンであり、図２で説明した拡大・縮小指示部３９を構成する。移動ボタン６３は、マウスのドラッグ操作によりアクティブな画像を画像比較エリア５４内で自由に移動させるボタンであり、図２で説明した移動指示部３７を構成している。
【００３５】
連動ボタン６６は、図２に示す連動指示部３８を構成しており、マウスのクリック操作をする毎に表示が「ＯＮ」と「ＯＦＦ」に切り替わる。「ＯＮ」の表示にしている時には、上位画像Ｂ及び下位画像Ａを連動させ、また「ＯＦＦ」の表示にしている時には、前記連動を解除する。連動ボタン６６は、移動ボタン６３やスライドボタン６４と組み合わせて使用される。移動ボタン６３と組み合わせて使用すると、上位画像Ｂ及び下位画像Ａを一緒に移動させることができ、また、スライドボタン６４と組み合わせて使用することで、上位画像Ｂ及び下位画像Ａを一緒に拡大又は縮小することができる。
【００３６】
取り消しボタン６５は、「×」ボタンで表示されており、特定範囲７０の指定等直前の指示を取り消すボタンであり、図２で説明した取り消し指示部３３を構成する。解除ボタン５８は、アクティブの画像の選択を解除してその画像の表示を画像比較エリア５４から削除するボタンであり、図２で説明した解除指示部３１を構成する。全解除ボタン５７は、選択した画像を解除して画像比較エリア５４から２つの画像Ａ，Ｂの表示を削除するボタンであり、図２で説明した全解除指示部３２を構成する。
【００３７】
次に、前述したＧＵＩを構成する操作画面を使用して画像比較作業の全体的な手順を説明する。最初に任意の２つの画像を選択して画像比較エリア５４に表示し、２つの画像内に写る特徴的な部分画像について、ピント、被写体ぶれ、及びコントラスト等の要件を満足するか否かを視認より判断し、満足する方の画像を画像比較エリア５４に残し、満足しない方の画像を画像比較エリア５４から削除する。その後、新たな画像を選択して、新たな画像と前記満足した画像とを再び比較する。このようにして満足する画像に対して新たな画像を順に比較していき、最終的に一番満足する画像を探す。
【００３８】
図７を参照しながら具体的に説明すると、プログラムを起動すると（Ｓ−１）、ウィンドウ５３が開き、図３で説明した操作画面表示される。このウィンドウ５３のフイルムストリップエリア５６には、ハードディスク１９等の記憶手段のうちの予め指定したアドレスに格納されている画像ファイルのサムネイル画像６７ａ〜６７ｚが表示される。
【００３９】
なお、全てのサムネイル画像をフイルムストリップエリア５６に表示することができない場合には、フイルムストリップエリア５６の下部又は右端にスクロールバーが現れる。全てのサムネイル画像は、スクロールバーをマウス操作により移動することで、フイルムストリップエリア５６に順に表示される。
【００４０】
比較対象の２つの画像を、フイルムストリップエリア５６から画像比較エリア５４にマウス操作でドラッグ・アンド・ドロップする（Ｓ−２）。画像読出し指示部３０は、ドラッグ・アンド・ドロップ操作に基づいて、読み込み画像のアドレスを描画部２８に指示する。
【００４１】
描画部２８は、選択された画像を読み込み、図４に示すように、先にドロップ操作をした画像Ａが下位画像として、後にドロップ操作をした画像Ｂが上位画像Ｂとして、一部が重なる状態で画像比較エリア５４に２つの画像Ａ，Ｂをずらして表示し、また、これらの画像Ａ，Ｂの縮小画像を対象画像エリア５５に個別に表示するようにウィンドウ内容を生成する。このとき、画像Ａ，Ｂの画像ウィンドウ４５，４６の位置、及び大きさの情報は、ウィンドウ描画処理部４１によって予め決められている。ここで、最前面に表示する画像を入れ替えたい場合には、入替えボタン６０をマウスでクリック操作をすることで、下位画像Ａが最前面に表示される（Ｓ−３、Ｓ−４）。
【００４２】
なお、図４では、例えば、走行する電車を同じ場所で連写撮影した複数の画像のうちの連続する類似画像Ａ，Ｂを選択した例を示している。
【００４３】
画像比較を行う場合には、切り出しボタン操作による特定範囲指定（Ｓ−５）と、切り抜きボタン操作による特定範囲指定（Ｓ−６）とを択一的に選択する。前者を選択すると、上位画像Ｂのうちの特定範囲外を透過処理する。後者を選択すると、上位画像Ｂのうちの特定範囲内を透過処理する。
【００４４】
切り出しボタン操作による特定範囲指定（Ｓ−５）の選択は、切り出しボタン６１をマウス操作でクリックすることで行える。その後、マウスのドラッグ操作で特定範囲７０を上位画像Ｂのうちの比較対象である部分画像を含む範囲に対して指定することで、切り出し指示部３５から画像処理部４２に、画像比較エリア５４に対する特定範囲７０の位置の情報が送られ、また、画像処理部４２は、透過処理部４３に対して特定範囲７０外を透過する処理の実行を指示する。
【００４５】
透過処理部４３は、図８（Ａ）に示すように、上位画像Ｂに対して特定範囲７０外をマスク処理して透過範囲７１を作成する（Ｓ−７）。また、同図（Ｂ）に示すように、下位画像Ａに対して特定範囲７０に重複する範囲（ハッチィングを施した範囲）を透過処理して透過範囲７２を作成する（Ｓ−８）。画像処理部４２は、上位画像Ｂの透過範囲７１の画像に、下位画像Ａのうちの透過範囲７２以外の画像を混合して表示する（Ｓ−９）。これにより、図５に示すように、上位画像Ｂのうちの特定範囲７０内の画像が下位画像Ａに重ねて表示される。
【００４６】
なお、対象画像エリア５５に表示されている縮小画像Ｂには、特定範囲７０の指定に応答して、特定範囲７０と画像全体に対する位置、大きさを同じにしたマーク７０ａが表示される。このマーク７０ａを対象画像エリア５５に表示することで、画像比較エリア５４で画像の拡大や縮小をした時等に、画像全体に対する特定範囲７０の位置、大きさを簡便に把握することができる。
【００４７】
下位画像Ａのうちの比較対象である部分画像に対して、上位画像Ｂのうちの特定範囲７０の部分画像ｂを比較する。しかしながら、互いの部分画像が離れている場合には比較し難い。そこで、特定範囲７０の部分画像ｂを、下位画像Ａの部分画像に近づけて表示したい時には、特定範囲７０の部分画像ｂを移動させればよい。
【００４８】
この場合には、連動ボタン６６をマウス操作でクリックして「ＯＦＦ」の表示を選択しておく。その後、移動ボタン６３をマウス操作でクリックして、例えば、図９（Ａ）に示すように、特定範囲７０内をマウスでクリック操作し、そのまま任意の位置、例えば符号７０‘の位置にドラッグする。これにより、特定範囲７０に表示されている部分画像ｂを含む上位画像Ｂは、同図（Ｂ）に示すように、特定範囲７０と一緒に移動される。特定範囲７０‘の画像比較エリア５４に対する位置が決まると、同図（Ｃ）に示すように、下位画像Ａに対して特定範囲７０’に重なる範囲に対して、前述したと同じに透過処理を施して透過範囲７５を生成し、同図（Ｄ）に示すように、上位画像Ｂの特定範囲７０の部分画像ｂを、下位画像Ａの透過範囲７５に混合表示する。
【００４９】
図１０は、前述した移動手順により、上位画像Ｂの特定範囲７０の部分画像ｂが下位画像Ａの部分画像の横に表示された状態を示している。このように、下位画像Ａに対して上位画像Ｂの特定範囲７０に表示される部分画像ｂを比較し易い位置に移動することで、互いの部分画像の比較の作業（Ｓ−１１）を簡便に行うことができる。このとき、対象画像エリア５５に表示されるマーク７０ａも、特定範囲７０の移動に応答して移動して表示される。
【００５０】
なお、連動ボタン６６を「ＯＮ」表示にして移動ボタン６３を選択し、前述したと同様にマウス操作で移動を行うと、下位画像Ａと上位画像Ｂとが画像比較エリア５４内で位置関係及び大きさを保ったまま一緒に移動する。また、連動ボタン６６を「ＯＮ」表示にしてスライドボタン６４のノブ６４ａをスライド操作すると、下位画像Ａと特定範囲７０に表示される部分画像ｂとが同じ尺度で拡大、又は縮小される。この操作により、細かい部分まで比較することができる。
【００５１】
画像の比較作業を完了した後、画像に対して評価を付与したい場合がある。この場合には、レーティング作業を行う（Ｓ−１２）。この作業は、例えばフイルムストリップエリア５６にて評価を付けるサムネイル画像６７をマウス操作で選択し、マウスの右クリックメニューから評価マークを選んで付与する。評価マークは、フイルムストリップエリア５６のサムネイル画像６７の上に、例えば「○」の印で表示され、またその情報は、対応する画像ファイルに格納される。このようにすれば、後から評価マークを付与した画像だけを選別することができ、また評価マークを付与した画像だけをフイルムストリップエリア５６に表示することもできる。
【００５２】
画像比較を終了する場合には、プログラムを終了する（Ｓ−１３）。引き続き画像の比較作業を行う場合には、満足しない方の画像をアクティブにしておき、解除ボタン５８をマウス操作でクリックするこことで、満足しない方の画像の表示を画像比較エリア５４から削除し、新たな画像をフイルムストリップエリア５６から選択して表示する。なお、２つの画像を削除する場合には、全解除ボタン５７をマウスでクリック操作すればよい。
【００５３】
次に、切り抜きボタン操作による特定範囲指定（Ｓ−６）について説明する。この選択は、切り抜きボタン６２をマウス操作でクリックすればよい。その後、マウスのドラッグ操作で特定範囲７０を上位画像Ｂに対して指定することで、透過処理部４３は、図１１（Ａ）に示すように、上位画像Ｂに対して特定範囲７０をマスク処理して透過範囲７７を作成する（Ｓ−１５）。また、同図（Ｂ）に示すように、下位画像Ａに対して上位画像Ｂに重なる範囲のうちの特定範囲７０内を除く範囲を透過処理して透過範囲（ハッチィングで示した範囲）７８を作成する（Ｓ−１６）。画像処理部４２は、上位画像Ｂの透過範囲７７に、下位画像Ａのうちの透過範囲７８以外の画像を混合して表示する（Ｓ−１７）。これにより、図６に示すように、上位画像Ｂのうちの特定範囲７０内に、下位画像Ａのうちの特定範囲７０に重なる部分画像ａが透過して表示される。
【００５４】
なお、対象画像エリア５５に表示されている縮小画像Ａには、特定範囲７０の指定に応答して、特定範囲７０と画像全体に対する位置、大きさを同じにしたマーク７０ａが表示され、また、縮小画像Ｂには、特定範囲７０の画像を表示する位置を表すマーク７０ｂが表示される。これらマーク７０ａ，７０ｂは、例えば点線と実線というように異なるマークにすれば把握し易いので好適である。
【００５５】
部分画像ａを比較し易い位置に移動する場合には、連動ボタン６６をマウス操作でクリックして「ＯＦＦ」の表示を選択しておく。その後、移動ボタン６３をマウス操作でクリックして、例えば、図１２（Ａ）に示すように、特定範囲７０内をマウスでクリック操作し、そのまま任意の位置、例えば符号「７０‘」で示す位置にドラッグする。これにより、特定範囲７０に表示されている部分画像ａを含む下位画像Ａは、特定範囲７０と一緒に移動される。
【００５６】
特定範囲７０‘の画像比較エリア５４に対する移動位置が決まると、同図（Ｂ）に示すように、上位画像Ｂに対して特定範囲７０’に重なる範囲を、前述したと同じに透過処理を施して透過範囲８０を生成し、また、同図（Ｃ）に示すように、下位画像Ａに対して上位画像Ｂに重複する範囲のうちの特定範囲７０内を除く範囲を透過処理して透過範囲８１を作成する。
【００５７】
そして、同図（Ｄ）に示すように、上位画像Ｂの透過範囲８０に、下位画像Ａのうちの透過範囲８１以外の画像を混合して表示する。これにより、図１３に示すように、上位画像Ｂの部分画像の右上に、下位画像Ａの部分画像ａを表示することができる。このとき、対象画像エリア５５には、縮小画像Ｂに表示されているマーク７０ｂが、図６で説明したマーク７０ｂと比べて、前述した特定範囲７０の移動と同じに移動される。
【００５８】
上記実施形態では、特定範囲７０を画像に対して１つだけ指定しているが、複数指定してもよい。この場合には、縮小画像にも同じ数だけマークを表示するのが好適である。
【符号の説明】
【００５９】
１０  画像表示装置
２５  アプリケーションソフト部
２７  入力部
２８  描画部
５４  画像比較エリア
５５  対象画像エリア
６１  切り出しボタン
６２  切り抜きボタン
７０  特定範囲
Ａ  下位画像
Ｂ  上位画像
【図１】
2012063834.tif 000003
【図２】
2012063834.tif 000004
【図３】
2012063834.tif 000005
【図４】
2012063834.tif 000006
【図５】
2012063834.tif 000007
【図６】
2012063834.tif 000008
【図７】
2012063834.tif 000009
【図８】
2012063834.tif 000010
【図９】
2012063834.tif 000011
【図１０】
2012063834.tif 000012
【図１１】
2012063834.tif 000013
【図１２】
2012063834.tif 000014
【図１３】
2012063834.tif 000015